(57)【特許請求の範囲】
【請求項１】
下記（ａ）成分、（ｂ）成分、（ｃ）成分、（ｄ）成分及び（ｅ）成分を配合してなり、
組成物中の（ａ）成分の含有量と（ｂ）成分の含有量の合計が１５質量％以上、３５質量％以下、（ｄ）成分の含有量が０．１質量％以上、２質量％以下であり、
（ｂ）成分の含有量と（ａ）成分の含有量の質量比である〔（ｂ）成分の含有量〕／〔（ａ）成分の含有量〕が１．２以上、７．０以下であり、
（ｃ）成分の含有量と（ｄ）成分の含有量の質量比である〔（ｃ）成分の含有量／（ｄ）成分の含有量〕が２以上、３０以下であり、
（ａ）成分として、（ａ１）炭素数１０以上、２０以下のアルキル基を有するアルキルベンゼンスルホン酸塩〔以下、（ａ１）成分という〕、及び（ａ３）アルキル基の平均炭素数が１０以上、２０以下、エチレンオキサイドの平均付加モル数が０．５以上、６以下のポリオキシエチレンアルキルエーテル硫酸エステル塩〔以下、（ａ３）成分という〕から選ばれる１種以上の陰イオン界面活性剤を含有する、
衣料用液体洗浄剤組成物。
（ａ）成分：硫酸エステル塩基及びスルホン酸塩基から選ばれる基を含む陰イオン界面活性剤
（ｂ）成分：一般式（Ｉ）で表される非イオン界面活性剤
Ｒ１Ｏ［（ＥＯ）ｓ／（ＰＯ）ｔ］Ｈ      （Ｉ）
（式中、Ｒ１は炭素数９以上、２０以下の脂肪族炭化水素基を示し、ＥＯはオキシエチレン基、ＰＯはオキシプロピレン基を示し、ｓ、ｔは各々ＥＯ、ＰＯの平均付加モル数で、ｓは４以上３０以下、ｔは０以上５以下の数を示す。ＥＯ、ＰＯはランダム付加又はブロック付加の何れでもよい。）
（ｃ）成分：炭素数１２以上、１８以下の脂肪酸又はその塩
（ｄ）成分：香料マイクロカプセル
（ｅ）成分：水
【請求項２】
（ａ）成分中、スルホン酸塩基を有する陰イオン界面活性剤の割合が５０質量％以上である、請求項１に記載の衣料用液体洗浄剤組成物。
【請求項３】
（ａ）成分中、（ａ１）成分の割合が５０質量％以上である、請求項１又は２に記載の衣料用液体洗浄剤組成物。
【請求項４】
（ａ）成分中、（ａ３）成分の割合が５質量％以上である、請求項１〜３の何れかに記載の衣料用液体洗浄剤組成物。
【請求項５】
（ｃ）成分中、炭素数１４以上、１６以下の脂肪酸塩又はその塩の割合が３０質量％以上である、請求項１〜３の何れかに記載の衣料用液体洗浄剤組成物。
【請求項６】
更に、（ｆ）成分として、下記一般式で表されるアミン化合物を配合してなり、組成物中の（ｆ）成分の含有量が０．５質量％以上、５質量％以下である、請求項１〜５の何れかに記載の衣料用液体洗浄剤組成物。
【化１】
0006716200.tif 000004
〔式中、Ｒ１ｆは炭素数１３以上、２１以下のアルキル基又はアルケニル基、Ｒ２ｆ、Ｒ３ｆは、それぞれ、炭素数１以上、６以下のアルキル基又はヒドロキシアルキル基、ＸはＮＨ、ＣＯＮＨ、ＣＯＯ及びＯから選ばれる基、Ｒ４ｆは炭素数２以上、６以下のアルキレン基を示す。〕
【発明の詳細な説明】
【技術分野】
【０００１】
本発明は、衣料用液体洗浄剤組成物に関する。
【背景技術】
【０００２】
近年、消費者は衣料用液体洗浄剤組成物に洗浄性能だけでなく、残香性能を損なわないことも求めている。
特許文献１には、陰イオン界面活性剤、特定の構造を有するアミン化合物、非イオン界面活性剤、香料を含有し、固体粒子汚れに対して優れた洗浄性能及び再汚染防止性能、良好な柔軟性を有し、保存安定性が良好で香料組成物が高配合できる衣料用液体洗浄剤組成物が開示されている。
【０００３】
一方で、香りの持続性、残香性を目的として香料組成物をマイクロカプセル化して配合する試みがなされている。香料組成物のマイクロカプセル（以下、香料マイクロカプセルという場合もある）は、芯物質の香料を壁材で包んだ粒子状物質であり、その役割は芯物質の香料を保護し、カプセルに物理的な力が加わった際にカプセルの壁が破れて芯物質の香料を放出するものである。
【０００４】
特許文献２には、芯物質として引火点が５０〜１３０℃の範囲内の香料組成物を含有する香料マイクロカプセルが記載されている。
特許文献３には、高揮発性香料等の揮発成分と、それよりも高融点で相溶性がある添加剤を含有する香料マイクロカプセルが記載されている。
特許文献４には香料組成物等の機能性成分をカプセル化した粒子を衣料用液体洗浄剤組成物に配合することが知られている。
【先行技術文献】
【特許文献】
【０００５】
【特許文献１】特開２００７−３１４６９３号公報
【特許文献２】特開２００６−２４９３２６号公報
【特許文献３】国際公開第２００７／０３８５７０号
【特許文献４】特表２００９−５３７６９３号公報
【発明の概要】
【発明が解決しようとする課題】
【０００６】
香料マイクロカプセルを配合することで、香りの持続性が高まることは知られているが、香料マイクロカプセルを配合した衣料用液体洗浄剤組成物を用いて洗浄した衣料では、着用開始時から着用終了時まで香調が変化する課題があることが見出された。また、香料マイクロカプセルを配合した衣料用液体洗浄剤組成物を用いて洗浄した衣料から香る、香料マイクロカプセル由来の香りの持続性を更に高める要望があることが見出された。
本発明は、洗浄後の衣料における香料マイクロカプセル由来の香りについて、着用開始時から着用終了後にかけて香調の変化が少なく、また、香り強さが持続する衣料用液体洗浄剤組成物を提供する。
【課題を解決するための手段】
【０００７】
本発明は、下記（ａ）成分、（ｂ）成分、（ｃ）成分、（ｄ）成分及び（ｅ）成分を配合してなり、
組成物中の（ａ）成分の含有量と（ｂ）成分の含有量の合計が１５質量％以上、３５質量％以下、（ｄ）成分の含有量が０．１質量％以上、２質量％以下であり、
（ｂ）成分の含有量と（ａ）成分の含有量の質量比である〔（ｂ）成分の含有量〕／〔（ａ）成分の含有量〕が１以上、８以下であり、
（ｃ）成分の含有量と（ｄ）成分の含有量の質量比である〔（ｃ）成分の含有量／（ｄ）成分の含有量〕が２以上、３０以下である、
衣料用液体洗浄剤組成物に関する。
（ａ）成分：硫酸エステル塩基及びスルホン酸塩基から選ばれる基を含む陰イオン界面活性剤
（ｂ）成分：一般式（Ｉ）で表される非イオン界面活性剤
Ｒ１Ｏ［（ＥＯ）ｓ／（ＰＯ）ｔ］Ｈ      （Ｉ）
（式中、Ｒ１は炭素数９以上、２０以下の脂肪族炭化水素基を示し、ＥＯはオキシエチレン基、ＰＯはオキシプロピレン基を示し、ｓ、ｔは各々ＥＯ、ＰＯの平均付加モル数で、ｓは４以上３０以下、ｔは０以上５以下の数を示す。ＥＯ、ＰＯはランダム付加又はブロック付加の何れでもよい。）
（ｃ）成分：炭素数１２以上、１８以下の脂肪酸又はその塩
（ｄ）成分：香料マイクロカプセル
（ｅ）成分：水
【発明の効果】
【０００８】
本発明によれば、着用開始時から着用終了後にかけて香調の変化が少なく、香り強さが持続する衣料用液体洗浄剤組成物が提供される。
【発明を実施するための形態】
【０００９】
本発明者は、香料マイクロカプセルを含む衣料用洗浄剤組成物において、洗浄成分として一般的に知られている硫酸エステル塩基及びスルホン酸塩基から選ばれる基を有する陰イオン界面活性剤に対して、ポリオキシアルキレン基を含む非イオン界面活性剤を所定条件で含むことで、衣料の着用開始時から着用終了後までの間、衣料から香る香調変化が抑制されることを見出した。また、香料マイクロカプセルの質量に対して、特定の脂肪酸塩又はその塩を特定比で併用することで、香りの強さがより持続することを見出した。
【００１０】
［（ａ）成分］
本発明の（ａ）成分は、硫酸エステル塩基及びスルホン酸塩基から選ばれる基を含む陰イオン界面活性剤であり、衣類に付着した汚れを洗浄する作用を有する化合物である。具体的には、硫酸エステル塩を親水基として含み、炭素数１０以上、２０以下の炭化水素基を疎水基として含む陰イオン界面活性剤及びスルホン酸塩を親水基として含み、炭素数１０以上、２０以下の炭化水素基を疎水基として含む陰イオン界面活性剤から選ばれる１種以上の陰イオン界面活性剤が挙げられる。
【００１１】
本発明の（ａ）成分である陰イオン界面活性剤としては、下記（ａ１）〜（ａ４）から選ばれる１種以上の陰イオン界面活性剤が挙げられる。スルホン酸塩を親水基として含み、炭素数１０以上、２０以下の炭化水素基を疎水基として含む陰イオン界面活性剤の具体例として、下記（ａ１）及び（ａ２）が挙げられる。硫酸エステル塩を親水基として含み、炭素数１０以上、２０以下の炭化水素基を疎水基として含む陰イオン界面活性剤の具体例として下記（ａ３）及び（ａ４）が挙げられる。
【００１２】
（ａ１）炭素数１０以上、２０以下のアルキル基を有するアルキルベンゼンスルホン酸塩。
（ａ２）：炭素数１０以上、２０以下の脂肪アシル基を有するα−スルホ脂肪酸エステル塩
（ａ３）アルキル基の平均炭素数が１０以上、２０以下、エチレンオキサイドの平均付加モル数が０．５以上、６以下のポリオキシエチレンアルキルエーテル硫酸エステル塩。
（ａ４）平均炭素数１０以上、２０以下のアルキル基又はアルケニル基を有するアルキル又はアルケニル硫酸エステル塩。
【００１３】
（ａ１）又は（ａ２）において、アルキル基の炭素数は、香りの持続性をより高める点で長いアルキル基又は脂肪アシル基を有する（ａ１）又は（ａ２）を含むことが好ましい。
具体的には、（ａ１）においては、全（ａ１）中の炭素数１２以上、２０以下のアルキル基を有する（ａ１）の割合は、３０質量％以上が好ましく、４０質量％以上が好ましく、そして１００質量％以下であり、９０質量％以下が好ましく、８０質量％以下が好ましい。
また、（ａ２）においては、全（ａ２）中の炭素数１６以上、２０以下の脂肪アシル基を有する（ａ２）の割合は、５０質量％以上が好ましく、６０質量％以上が好ましく、そして１００質量％以下である。
【００１４】
（ａ３）においては、洗浄後の衣料における香料マイクロカプセル由来の香りについて、着用開始時から着用終了後にかけて香調の変化をより少なく出来る点で、全（ａ３）中の炭素数１２のアルキル基を有する（ａ３）の割合は、３０質量％以上が好ましく、４０質量％以上がより好ましく、５０質量％以上が更に好ましく、６０質量％以上がより更に好ましく、そして１００質量％以下であり、９０質量％以下がより好ましい。
また、（ａ４）においては、（ａ３）と同様の観点で、全（ａ４）中の炭素数１２のアルキル基又はアルケニル基を有する（ａ４）の割合は、３０質量％以上が好ましく、４０質量％以上がより好ましく、５０質量％以上が更に好ましく、６０質量％以上がより更に好ましく、そして１００質量％以下であり、９０質量％以下がより好ましい。
【００１５】
これら陰イオン界面活性剤の対イオンとしては、ナトリウム、カリウム等のアルカリ金属イオン、マグネシウム、カルシウム等のアルカリ土類金属イオン、モノエタノールアミン、ジエタノールアミン、トリエタノールアミン等のアルカノールアミン由来のイオン、及びモノメチルジエタノールアミン、ジメチルモノエタノールアミン等のアルキルアルカノールアミン由来のイオンからなる群から選択される少なくとも１種の陽イオンが挙げられる。
【００１６】
（ａ）成分は、１種又は２種以上を混合して用いても良く、更に中和物として衣料用液体洗浄剤組成物中に配合しても、酸形態で衣料用液体洗浄剤組成物中に配合した後中和してもよい。
【００１７】
香りの持続性をより高める点で、（ａ）成分中、スルホン酸塩基を有する陰イオン界面活性剤の割合は５０質量％以上が好ましく、６０質量％以上がより好ましく、７０質量％以上がより更に好ましく、そして１００質量％以下であることが好ましい。
また、香りの持続性をより高める点で、（ａ）成分中、（ａ１）の割合は、５０質量％以上が好ましく、６０質量％以上がより好ましく、７０質量％以上がより更に好ましく、そして１００質量％以下であることが好ましい。
また、着用開始時から着用終了後にかけて香調の変化をより少なく出来る点で、（ａ）成分中、（ａ３）成分の割合は５質量％以上が好ましく、１０質量％以上がより好ましく、３０質量％以上がより更に好ましい。
尚、本発明において（ａ）成分の質量は対イオンをＮａイオンに換算した値を用いる。
【００１８】
［（ｂ）成分］
（ｂ）成分は、下記一般式（Ｉ）で表される非イオン界面活性剤である。（ｂ）成分を、（ａ）成分に対して所定の質量比で用いることで、香料マイクロカプセル由来の香りの持続性が更に高まり、また、衣料の着用開始時から着用終了後まで香料カプセル由来の香調の変化を抑制することができる。
Ｒ１Ｏ［（ＥＯ）ｓ／（ＰＯ）ｔ］Ｈ      （Ｉ）
（式中、Ｒ１は炭素数９以上、２０以下の脂肪族炭化水素基を示し、ＥＯはオキシエチレン基、ＰＯはオキシプロピレン基を示し、ｓ、ｔは各々ＥＯ、ＰＯの平均付加モル数で、ｓは４以上３０以下、ｔは０以上５以下の数を示す。ＥＯ、ＰＯはランダム付加又はブロック付加の何れでもよい。）
【００１９】
一般式（Ｉ）中のＲ１の炭素数は、衣料の着用時から着用終了時までの間、衣料から香る香料マイクロカプセル由来の香調の変化がより少なくできる点で、１０以上が好ましく、１２以上がより好ましく、そして１８以下が好ましく、１６以下がより好ましい。
一般式（Ｉ）中のｓは、衣料の着用時から着用終了時までの間、衣料から香る香料マイクロカプセル由来の香調の変化がより少なくできる点で、５以上が好ましく、６以上がより好ましく、そして２５以下が好ましく、２０以下がより好ましく、１８以下が更に好ましい。
一般式（Ｉ）中のｔは、０以上５以下の数である。ｔは０であってもよい。ｔが０超の場合、好ましくは１以上、より好ましくは１．５以上、そして、好ましくは２以下である。
【００２０】
［（ｃ）成分］
（ｃ）成分は炭素数１２以上、１８以下の脂肪酸又はその塩である。（ｃ）成分は本発明の（ｄ）成分である香料マイクロカプセルに対して特定比で用いることで、香料カプセル由来の香りの持続性をより高めることができる。
理由は推定であるが、衣料の洗浄時において、本発明の衣料用液体洗浄剤組成物を、硬度成分を有する一般の水道水に添加した時に、（ｃ）成分由来の脂肪酸イオンが水道水中のカルシウムイオンでスカム化することで疎水性が高くなり、香料マイクロカプセルの外殻材料に疎水的に吸着することで、香料マイクロカプセルも疎水化され、衣料に付着しやすくなった為と推定している。
【００２１】
（ｃ）成分の炭素鎖長は長い方が、疎水性がより高くなることから好ましく、また液体洗浄剤組成物中で（ｃ）成分が結晶化しにくい点で、炭素鎖長は短い方が好ましい。香料マイクロカプセル由来の香りの持続性をより高める点と液体洗浄剤組成物中で（ｃ）成分が結晶化しにくい点で、（ｃ）成分は炭素数１４以上、１６以下の脂肪酸又はその塩を含む脂肪酸又はその塩であることが好ましく、より好ましくは（ｃ）成分中に炭素数１４以上、１６以下の脂肪酸又はその塩を３０質量％以上含むことが好ましく、４０質量％以上含むことがより好ましく、５０質量％以上含むことが更に好ましく、５５質量％以上含むことがより更に好ましく、６０質量％以上含むことがより更に好ましい。（ｃ）成分中の炭素数１４以上、１６以下の脂肪酸又はその塩の含有量の上限値は１００質量％である。すなわち、（ｃ）成分中、炭素数１４以上、１６以下の脂肪酸塩又はその塩の割合は３０質量％以上が好ましく、４０質量％以上がより好ましく、５０質量％以上がより更に好ましく、更に５５質量％以上がより更に好ましく、更に６０質量％以上がより更に好ましく、そして１００質量％以下であることが好ましい。
【００２２】
本発明において（ｃ）成分の質量は、脂肪酸の対イオンを酸型即ち水素原子に換算した時の質量を用いる。
【００２３】
［（ｄ）成分］
（ｄ）成分は香料マイクロカプセルである。香料マイクロカプセルとは、香料組成物をカプセル化したものである。例えば、マイクロカプセルの外殻（壁材）に樹脂を用いて、公知の方法により香料組成物が封入したものが挙げられる。
【００２４】
香料マイクロカプセルの調製法は特に制限されず、公知のマイクロカプセル化方法を採用することができる。具体的には化学的製法（界面重合法、in situ重合法、オリフィス法）、物理化学的方法（コアセルベーション法）、機械的・物理的方法（気中懸濁被覆法、噴霧乾燥法、高速気流中衝撃法）等が挙げられる。香料マイクロカプセルの外殻としては、ポリウレタン、ポリアミド、メラミン樹脂、尿素樹脂、アルギン酸塩、ゼラチン、アラビアゴム、デンプン等の各種高分子化合物が挙げられる。
【００２５】
本発明の香料マイクロカプセルの製造方法についてより具体的には、“造る＋使うマイクロカプセル”（小石眞純ら、工業調査会、２００５年発行）や、特開２００８−６３５７５号公報、特開２００６−２４９３２６号公報、特表２００６−５１８７９０号公報、特開平１１−２１６３５４号公報、特開平５−２２２６７２号公報等に記載されている方法を採用することができる。
【００２６】
香料マイクロカプセルの好ましい製造方法としては、エチレン−無水マレイン酸共重合体等の乳化剤と香料及び任意の希釈剤又は溶剤を水中に分散させて乳化物を得た後、この乳化物にメラミン−ホルムアルデヒド樹脂等の壁材を添加して撹拌することにより香料マイクロカプセルのスラリーを得る方法が挙げられる。また、予め、壁材を形成する樹脂となるモノマーと、イソブチレン−無水マレイン酸共重合体、アクリル酸−アクリルアミド共重合等の乳化剤とを水中で混合して、壁材・乳化剤混合物を調製した後、この壁材・乳化剤混合物と香料及び任意の希釈剤又は溶剤とを乳化し、この乳化物にホルムアルデヒドを添加して撹拌することにより香料マイクロカプセルのスラリーを得る方法等も挙げられる。
【００２７】
香料マイクロカプセルに用いられる香料は、特開２００６−２４９３２６号公報、国際公開第２００７／０３８５７０号、特開２００７−３１４６９３号公報に記載の香料組成物を使用することが出来る。
【００２８】
［（ｅ）成分］
（ｅ）成分は水である。水に特段の制限はないが、水道水、蒸留水及びイオン交換水から選ばれる水が使用できる。
【００２９】
［衣料用液体洗浄剤組成物］
本発明の衣料用液体洗浄剤組成物は、必須成分として、上記のような（ａ）成分、（ｂ）成分、（ｃ）成分、（ｄ）成分及び（ｅ）成分を含有する。
【００３０】
本発明の組成物中の（ａ）成分の含有量と（ｂ）成分の含有量の合計量は１５質量％以上、３５質量％以下である。衣類に付着した汚れの洗浄性能をより高める点から、組成物中の（ａ）成分の含有量と（ｂ）成分の含有量の合計量は、１６質量％以上が好ましく、１８質量％以上がより好ましく、２０質量％以上が更に好ましい。そして、衣料用液体洗浄剤組成物の安定性の点から、組成物中の（ａ）成分の含有量と（ｂ）成分の含有量の合計量は、３０質量％以下が好ましく、２８質量％以下がより好ましく、２６質量％以下が更に好ましい。
【００３１】
本発明の組成物中の（ｄ）成分の含有量は０．１質量％以上、２質量％以下であり、衣料から香る香りの持続性の向上の点で、０．１５質量％以上が好ましく、０．２質量％以上がより好ましく、そして１．５質量％以下が好ましく、１質量％以下がより好ましい。
【００３２】
本発明では、（ｂ）成分の含有量と（ａ）成分の含有量との質量比である〔（ｂ）成分の含有量〕／〔（ａ）成分の含有量〕は１以上、８以下である。衣料の着用時から着用終了後までの間に香る、香料マイクロカプセル由来の香調の変化をより少なくする点で、〔（ｂ）成分の含有量〕／〔（ａ）成分の含有量〕は１を超えることが好ましく、１．１以上がより好ましく、１．２以上が更に好ましく、１．３以上がより更に好ましく、１．４以上がより更に好ましく、１．５以上がより更に好ましく、１．６以上がより更に好ましい。そして７．０以下が好ましく、６．０以下がより好ましく、５．０以下が更に好ましく、２．８以下がより更に好ましい。
香りの持続性がより高まる点で、〔（ｂ）成分の含有量〕／〔（ａ）成分の含有量〕は１を超えることが好ましく、１．１以上がより好ましく、１．２以上が更に好ましく、１．３以上がより更に好ましく、１．４以上がより更に好ましく、１．５以上がより更に好ましく、１．６以上がより更に好ましい。１．６以上では香りの持続性はほぼ同程度となる。
【００３３】
本発明では、（ｃ）成分の含有量と（ｄ）成分の含有量の質量比である〔（ｃ）成分の含有量〕／〔（ｄ）成分の含有量〕は２以上、３０以下である。（ｄ）成分の香料カプセル由来の香りの強さをより高める点で、〔（ｃ）成分の含有量〕／〔（ｄ）成分の含有量〕は３以上が好ましく、４以上がより好ましく、５以上が更に好ましく、そして香料マイクロカプセル由来の香調の変化をより少なくする点で、２５以下が好ましく、２０以下がより好ましく、１５以下が更に好ましく、１０以下がより更に好ましい。
【００３４】
（ｅ）成分である水の含有量は、（ａ）成分、（ｂ）成分、（ｃ）成分、（ｄ）成分、（ｅ）成分及び後述する任意成分を含んだ合計量が１００質量％となるのに必要な量である。
【００３５】
〔任意成分〕
本発明の衣料用液体洗浄剤組成物は、（ｄ）成分由来の香りの持続性をより高める点で、（ｆ）成分として、下記一般式で表されるアミン化合物を配合してなることができる。
【００３６】
【化１】
0006716200.tif 000002
【００３７】
〔式中、Ｒ１ｆは炭素数１３以上、２１以下のアルキル基又はアルケニル基、Ｒ２ｆ、Ｒ３ｆは、それぞれ、炭素数１以上、６以下のアルキル基又はヒドロキシアルキル基、ＸはＮＨ、ＣＯＮＨ、ＣＯＯ及びＯから選ばれる基、Ｒ４ｆは炭素数２以上、６以下のアルキレン基を示す。〕
【００３８】
本発明の（ｆ）成分である上記一般式で表されるアミン化合物において、式中のＲ１ｆは炭素数１５以上、２１以下、更に炭素数１５以上、１９以下のアルキル基又はアルケニル基が好ましく、アルキル基がより好ましい。
また、Ｒ２ｆ及びＲ３ｆは、それぞれ独立に、炭素数１以上、３以下、更に炭素数１のアルキル基又はヒドロキシアルキル基が好ましく、アルキル基がより好ましい。また、Ｒ２ｆ及びＲ３ｆは同一であることが好ましい。
ＸはＣＯＮＨが好ましい。Ｒ４ｆは炭素数２以上、４以下、更に３以下のアルキレン基が好ましく、直鎖アルキレン基がより好ましい。
【００３９】
（ｆ）成分としては、より具体的には、ラウリルアミドプロピルジメチルアミン、ミリスチルアミドプロピルジメチルアミン、パルミチルアミドプロピルジメチルアミン、ステアリルアミドプロピルジメチルアミン、ベヘニルアミドプロピルジメチルアミン、オレイルアミドプロピルジメチルアミン等が挙げられる。（ｆ）成分は、１種又は２種以上を混合して用いることができる。
【００４０】
本発明の組成物中の（ｆ）成分の含有量は、０．５質量％以上が好ましく、０．７質量％以上がより好ましく、０．８質量％以上が更に好ましく、そして、５質量％以下が好ましく、４質量％以下がより好ましく、３質量％以下が更に好ましい。
【００４１】
本発明の衣料用液体洗浄剤組成物は、組成物の保存安定性を向上させる観点から、（ｇ）成分として分子中に４個以上、１０個以下の炭素原子を含み、且つ芳香族基を有するスルホン酸又はその塩を配合してなることができる。
【００４２】
（ｇ）成分としては、例えばベンゼンスルホン酸、ｐ−トルエンスルホン酸、キシレンスルホン酸、クメンスルホン酸、スルホ安息香酸、スルホフタル酸、ナフタレンスルホン酸及びそれらのナトリウム塩、カリウム塩、ジエタノールアミン塩などが挙げられる。塩としてはナトリウム塩、カリウム塩、ジエタノールアミン塩などが挙げられる。また、これらは随意に１種単独で用いても２種以上を併用してもよい。
【００４３】
本発明の組成物中の（ｇ）成分の含有量は、０．１質量％以上が好ましく、０．２質量％以上がより好ましく、０．３質量％以上が更に好ましく、１０質量％以下が好ましく、５質量％以下がより好ましく、３質量％以下が更に好ましい。
【００４４】
本発明の衣料用液体洗浄剤組成物は、安定性の観点から（ｈ）成分として、水酸基を含む溶剤を配合してなることが好ましい。
（ｈ）成分としては、（ｈ−１）炭素数１以上、４以下の１価のアルコールが挙げられる。より具体的には、メタノール、エタノール、プロパノール、ブタノール等が挙げられ、エタノールが好ましい。
また、（ｈ）成分としては、（ｈ−２）エチレングリコールモノブチルエーテル、ジエチレングリコールモノブチルエーテル（ブチルカルビトール）、プロピレングリコールジエチレングリコールモノブチルエーテル、ジプロピレングリコールエチレングリコールモノブチルエーテル、エチレングリコールモノフェニルエーテル、トリエチレングリコールモノフェニルエーテルから選ばれる１種以上の溶剤が挙げられる。
【００４５】
本発明の組成物中の（ｈ）成分の含有量は、０．１質量％以上が好ましく、０．５質量％以上がより好ましく、１質量％以上が更に好ましく、３０質量％以下が好ましく、２５質量％以下がより好ましく、２０質量％以下が更に好ましい。
【００４６】
本発明の衣料用液体洗浄剤組成物には、（ｉ）成分として、アルカリ金属の水酸化物、ケイ酸塩、炭酸ナトリウム等の炭酸塩、及びアルカノールアミンなどのアルカリ剤を配合することができる。
【００４７】
本発明の衣料用液体洗浄剤組成物中、（ｉ）のアルカリ剤の含有量は０．０１質量％以上、１０質量％以下が好ましい。
【００４８】
本発明の衣料用液体洗浄剤組成物には、（ｄ）成分である香料マイクロカプセルの分離を抑制する為に、（ｊ）成分として硬化ヒマシ油を用いることが出来る。
【００４９】
衣料用液体洗浄剤組成物中の（ｊ）成分の含有量は、香料マイクロカプセルの分離を抑制する点で０．０５質量％以上が好ましく、０．０７質量％以上がより好ましく、０．１質量％以上が更に好ましい。そして、衣料用液体洗浄剤組成物中の（ｊ）成分の含有量は、衣料用液体洗浄剤組成物の粘度を低く出来る点で１質量％以下が好ましく、０．８質量％以下がより好ましく、０．５質量％以下が更に好ましい。
【００５０】
本発明の衣料用液体洗浄剤組成物の２０℃における粘度は、取り扱いの容易さの点で１０ｍＰａ・ｓ以上が好ましく、３０ｍＰａ・ｓ以上がより好ましく、５０ｍＰａ・ｓ以上が更に好ましく、そして、４００ｍＰａ・ｓ以下が好ましく、３００ｍＰａ・ｓ以下がより好ましく、２００ｍＰａ・ｓ以下が更に好ましい。粘度調整剤によりこのような範囲になるように調製することが好ましい
なお、これらの粘度は、Ｂ型粘度計（（株）東京計器製、ＶＩＳＣＯＭＥＴＥＲ  ＭＯＤＥＬ  ＤＶＭ−Ｂ）を用い、ローター３又は４、回転数６０ｒ／ｍｉｎ、測定時間６０秒の条件で測定されたものである。
【００５１】
本発明の衣料用液体洗浄剤組成物は、安定性、洗浄性能、損傷性の観点から、ＪＩＳ  Ｋ  ３３６２：１９９８記載の２０℃で測定するｐＨは、好ましくは６以上、より好ましくは６．５以上、そして、好ましくは９以下、より好ましくは８以下である。
【実施例】
【００５２】
下記配合成分を用い、表１に示す組成の衣料用液体洗浄剤組成物を調製した。組成物のｐＨは、ＮａＯＨで調整した。
【００５３】
＜配合成分＞
（ａ）成分
（ａ−１）：直鎖アルキル（炭素数１０〜１４）ベンゼンスルホン酸ナトリウム、組成は、炭素数１０／炭素数１１／炭素数１２／炭素数１３／炭素数１４＝９．５／３５／３５／２０／０．５（質量比）、前記の炭素数１２とは、アルキル基の炭素数が１２である直鎖アルキルベンゼンスルホン酸ナトリウムである。（有効分換算して配合した）
（ａ−２）：ポリオキシエチレンアルキルエーテル硫酸ナトリウム、組成は、炭素数１２／炭素数１４／炭素数１６／＝６０／３５／５（質量比）、前記の炭素数１２とは、アルキル基の炭素数が１２であるポリオキシエチレンアルキルエーテル硫酸ナトリウムである。オキシエチレン基の平均付加モル数は２である。（有効分換算して配合した）
【００５４】
（ｂ）成分
（ｂ−１）：炭素数１２〜１４の直鎖第１級アルコールにエチレンオキサイドを平均１２モル付加させたポリオキシエチレンアルキルエーテル
（ｂ−２）：ソフタノール７０（（株）日本触媒製）（炭素数１２〜１４の２級アルコールにエチレンオキサイドを平均７モル付加させたポリオキシエチレンアルキルエーテル）
（ｂ−３）：炭素数１２〜１４の直鎖第１級アルコールにエチレンオキサイドを平均５モル、プロピレンオキサイドを平均２モル、エチレンオキサイドを平均３モルの順にブロック付加させたポリオキシアルキレンアルキルエーテル
【００５５】
（ｃ）成分
（ｃ−１）：混合脂肪酸（ラウリン酸とミリスチン酸とパルミチン酸の混合脂肪酸であり、ラウリン酸／ミリスチン酸／パルミチン酸＝４０／５５／５（質量比））
（ｃ−２）：ラウリン酸
【００５６】
（ｄ）成分
（ｄ−１）：下記の方法で製造された香料マイクロカプセル
ジイソブチレン−無水マレイン酸共重合体（デモールＥＰ、固形分２５％、花王株式会社）１．７ｇを塩酸で中和後、更にイオン交換水で希釈することにより、固形分３％、ｐＨ４．３の水溶液を得た。次に、前記ジイソブチレン−無水マレイン酸共重合体水溶液１００ｇに、下記の組成の香料組成物を３６ｇ加え、ホモミキサーを用いて乳化し、これを５０℃に昇温した。次に、部分メチロール化メラミン樹脂（商品名Cymel385、固形分80％、CytecIndustriesInc製）を１２ｇ、イオン交換水３５ｇを混合した水溶液を滴下した。これを５０℃で２時間保持し、更に７０℃で１時間保持し、更に８０℃で３時間保持し、封入を完了させた。その後、放冷することによって、平均粒径７μｍ、有効分３０質量％のマイクロカプセルスラリーとして（ｄ−１）を得た。（ｄ−１）は、マイクロカプセルの内包物（芯物質）中、下記の組成の香料組成物の割合が８０質量％であった。
【００５７】
香料組成物：下記の香料成分を含有する香料組成物。（  ）内の数字は質量部。
リモネン（８０）、１，８−シネオール（３０）、γ−ウンデカラクトン（５０）、ゲラニオール（２０）、ターピネオール（２０）、テトラヒドロリナロール（５０）、ジヒドロジャスモン酸メチル（１２０）、酢酸ゲラニル（５５）、酢酸ｏ，ｔ−ブチルシクロヘキシル（１００）、プロピオン酸トリシクロデセニル（７０）、リリアール（５０）、ヘキシルシンナミックアルデヒド（１００）、α−イオノン（８０）、β−イオノン（２０）、γ−メチルイオノン（５０）、イソＥスーパー（６０）、δ−ダマスコン（２）、アンブロキサン（３）、サリチル酸シス−３−ヘキセニル（４０）
【００５８】
（ｅ）成分
・イオン交換水
【００５９】
（ｆ）成分
・（ｆ−１）：ＲＣＯＮＨ(ＣＨ2)3Ｎ(ＣＨ3)2（Ｒ：炭素数１７のアルキル基）
（ｇ）成分
・（ｇ−１）：ｐ−トルエンスルホン酸
（ｈ）成分
・（ｈ−１−１）：エタノール
・（ｈ−２−１）：ジプロピレングリコール−モノ−ブチルエーテル
・（ｈ−２−２）：エチレングリコール−モノ−フェニルエーテル
（ｉ）成分
・（ｉ−１）：モノエタノールアミン
（ｊ）成分
・（ｊ−１）：硬化ヒマシ油
【００６０】
表１の衣料用液体洗浄剤組成物について、以下の方法で、香りの持続性（残香性）及び香調変化を評価した。結果を表１に示した。
【００６１】
＜残香性の評価方法＞
・試験布の調製
下記組成のモデル皮脂人工汚染液を布に付着してモデル皮脂人工汚染布を調製した。モデル皮脂人工汚染液の布への付着は、グラビアロールコーターを用いて人工汚染液を布に印刷することで行った。モデル皮脂人工汚染液を布に付着させモデル皮脂人工汚染布を作製する工程は、グラビアロールのセル容量５８ｃｍ3／ｍ2、塗布速度１．０ｍ／ｍｉｎ、乾燥温度１００℃、乾燥時間１ｍｉｎで行った。布は木綿２００３（谷頭商店製）を使用した。
【００６２】
＊モデル皮脂人工汚染液の組成：ラウリン酸０．４質量％、ミリスチン酸３．１質量％、ペンタデカン酸２．３質量％、パルミチン酸６．２質量％、ヘプタデカン酸０．４質量％、ステアリン酸１．６質量％、オレイン酸７．８質量％、トリオレイン１３．０質量％、パルミチン酸ｎ−ヘキサデシル２．２質量％、スクアレン６．５質量％、卵白レシチン液晶物１．９質量％、鹿沼赤土８．１質量％、カーボンブラック０．０１質量％、水残部（合計１００質量％）
【００６３】
・残香性の評価試験布の調製
上記で作製される評価試験布（６ｃｍ×６ｃｍ）１０枚を、ターゴトメーター（Ueshima,MS-8212）にて、表１記載の衣料用液体洗浄剤組成物を用いて、８５ｒｐｍで１０分間洗浄した。洗浄条件は、衣料用液体洗浄剤組成物濃度０．１質量％、水温２０℃であり、浴比は１５（木綿２００３（谷頭商店製）を６ｃｍ×６ｃｍに裁断した布で調整）とした。洗浄後、水道水（２０℃）を用いて、浴比１５で３分間すすぎ、手で絞って洗浄前の評価試験布の質量に対して９０質量％の質量になるまで脱水した。ついで、２３℃、６５％ＲＨの恒温室で１２時間放置した後、更に３０℃、４５％ＲＨの恒温室で１２時間保管することで、残香性の評価試験布１０枚を得た。
【００６４】
・残香性の評価方法
残香性の評価試験布で得られた１０枚の布を重ね合わせた。香りの評価に熟練したパネラー５名（男性２名、女性３名）がそれぞれ、表１記載の比較品２の試験布を基準として、本発明品又は他の比較品の試験布の香りの強さを、下記の基準で評価した。５名の平均点を算出した。パネラーが０と＋１の間と評価される場合には＋０．５の評点を付与した。＋１と＋２の間と評価される場合は＋１．５の評点を付与した。平均点は、０．６以上が合格であり、数値が高い方が好ましい。
【００６５】
＋２：評価試験布から香る香りの強さは、比較品２の残香性の評価試験布から香る香りの強さよりも強く感じる。
＋１：評価試験布から香る香りの強さは、比較品２の残香性の評価試験布から香る香りの強さよりも強く感じるが、どちらかというと比較品２の香りの強さに近い。
０：評価試験布から香る香りの強さと、比較品２の残香性の評価試験布から香る香りの強さはほぼ同じに感じる。
【００６６】
＜香調変化の評価方法＞
前記の「残香性の評価試験布の調製」と同様の方法で得られる試験布１０枚の中から、無作為に抽出した５枚の試験布をアルミホイルで包み、５℃の恒温室に保管した。この試験布を試験布（１）とした。また残りの５枚の試験布をアルミホイルで包み、３０℃、４５％ＲＨの恒温室に保管した。この試験布を試験布（２）とした。保管開始から１２時間後に、各々の恒温室から取り出し、２３℃、６５％ＲＨの恒温室に１時間放置して得られる試験布（１）及び試験布（２）を用い、香りの評価に熟練したパネラー５名（男性２名、女性３名）にて下記の基準で評価した。パネラーが０と＋１の間と評価される場合には＋０．５の評点を付与した。＋１と＋２の間と評価される場合は＋１．５の評点を付与した。５名のパネラーの平均点を算出した。平均点が０．８以上が合格であり、数値が高い方が好ましい。
【００６７】
＋２：試験布（２）から香る香調は、試験布（１）から香る香調と僅かに異なるが、試験布（１）から香る香調とほぼ同じである。
＋１：試験布（２）から香る香調は、試験布（１）から香る香調とやや異なるが、試験布（１）から香る香調に近い。
０：試験布（２）から香る香調は、試験布（１）から香る香調と明らかに異なる。
【００６８】
【表１】
0006716200.tif 000003
【００６９】
本発明品１〜１２は、上記の方法で得られる残香性の評価点が０．６以上、且つ香調変化の評価点が０．８以上であり、香調の変化が少なく、香り強さが持続する衣料用液体洗浄剤組成物であることがわかる。
一方、比較品１〜３は、残香性の評価点が０．６未満、及び／又は香調変化の評価点が０．８未満であった。
本発明品１〜４では、香料マイクロカプセル由来の香りの香調変化の評価点の順位は、本発明品３が最良で、次いで本発明品２、次いで本発明品１、次いで本発明品４の順であった。また、香りの持続性については、本発明品３と４が最良で、次いで本発明品２、次いで本発明品１となった。
本発明品２、本発明品５、本発明品６及び本発明品１２を比較すると、香りの持続性は、本発明品２と６が同程度で最も良く、次いで本発明品５が良く、次いで本発明品１２が良かった。
本発明品３と本発明品７を比較すると、香りの変調抑制の評価点は、同程度であるが、香りの持続性は本発明品３が高い。
本発明品２と本発明品８を比較すると、香りの変調抑制効果は本発明品８の方が高く、香りの持続性は本発明品２の方が高い。